(57)【要約】【課題】光ディスク再生装置に係わり、光ディスクの記録密度以外の要因により再生信号特性が変化する場合にも、拘束長の異なるＰＲＭＬにより対応でき、読み取りの精度を向上できる技術を提供する。【解決手段】本光ディスク再生装置において、第１の拘束長（例：４）のＰＲＭＬ回路（１０６）と第２の拘束長（例：５）のＰＲＭＬ回路（１０７）とを有し、それら各回路における等化学習の演算中に得られる等化誤差値を、判定回路１１７で比較し、それが小さくなる方のＰＲＭＬ回路の出力を選択するように、スイッチ１１６を切り替え制御する。【選択図】図１
2008204522.tif 000002
【特許請求の範囲】
【請求項１】
光ディスクにレーザー光を照射してその反射光を電気信号に変換するピックアップと、
前記ピックアップの出力である電気信号にアナログ処理を行うアナログフロントエンドと、
前記アナログフロントエンドの出力であるアナログ信号をデジタル化して多値信号を出力するデジタル化回路と、
拘束長ｍのＰＲＭＬ方式の第１のＰＲＭＬ処理回路と、
拘束長ｎ（ｎ≧ｍ）のＰＲＭＬ方式の第２のＰＲＭＬ処理回路と、を有し、
前記第１のＰＲＭＬ処理回路は、
前記多値信号を拘束長ｍのＰＲＭＬ方式の目標信号に等化する第１の等化回路と、
前記第１の等化回路の出力である第１の等化信号と最尤復号出力である二値化信号とから拘束長ｍのＰＲＭＬ方式の第１の目標信号を生成する第１の基準値生成回路と、
前記第１の等化信号と前記第１の目標信号とから前記第１の等化回路のパラメータを決定する第１の適応学習回路と、
前記第１の目標信号と前記第１の等化信号とから拘束長ｍのＰＲＭＬ方式に基づいて第１の二値化信号を得る第１の最尤復号回路と、を有し、
前記第２のＰＲＭＬ処理回路は、
前記多値信号を拘束長ｎのＰＲＭＬ方式の目標信号に等化する第２の等化回路と、
前記第２の等化回路の出力である第２の等化信号と最尤復号出力である二値化信号とから拘束長ｎのＰＲＭＬ方式の第２の目標信号を生成する第２の基準値生成回路と、
前記第２の等化信号と前記第２の目標信号とから前記第２の等化回路のパラメータを決定する第２の適応学習回路と、
前記第２の目標信号と前記第２の等化信号とから拘束長ｎのＰＲＭＬ方式に基づいて第２の二値化信号を得る第２の最尤復号回路と、を有し、
前記第１または第２の最尤復号回路の出力を選択して出力するスイッチと、
前記スイッチの出力をデコード処理して再生データ信号を出力するデコーダと、
前記第１の適応学習回路で演算される、前記第１の等化信号と前第１の目標信号との差分である第１の等化誤差値と、前記第２の適応学習回路で演算される、前記第２の等化信号と前第２の目標信号との差分である第２の等化誤差値と、を比較した結果に基づいて、前記第１または第２の最尤復号回路の出力から選択するように前記スイッチを切り替え制御する判定回路と、を具備することを特徴とする光ディスク再生装置。
【請求項２】
請求項１記載の光ディスク再生装置において、
前記判定回路は、前記第２の等化誤差値が前記第１の等化誤差値を下回る期間が一定時間以上続く期間のみに、前記第２の最尤復号回路の出力を選択するように制御すること、を特徴とする光ディスク再生装置。
【請求項３】
光ディスクにレーザー光を照射してその反射光を電気信号に変換するピックアップと、
前記ピックアップの出力である電気信号にアナログ処理を行うアナログフロントエンドと、
前記アナログフロントエンドの出力であるアナログ信号をデジタル化して多値信号を出力するデジタル化回路と、
拘束長ｍのＰＲＭＬ方式の第１のＰＲＭＬ処理回路と、
拘束長ｎ（ｎ≧ｍ）のＰＲＭＬ方式の第２のＰＲＭＬ処理回路と、を有し、
前記第１のＰＲＭＬ処理回路は、
前記多値信号を拘束長ｍのＰＲＭＬ方式の目標信号に等化する第１の等化回路と、
前記第１の等化回路の出力である第１の等化信号と最尤復号出力である二値化信号とから拘束長ｍのＰＲＭＬ方式の第１の目標信号を生成する第１の基準値生成回路と、
前記第１の等化信号と前記第１の目標信号とから前記第１の等化回路のパラメータを決定する第１の適応学習回路と、
前記第１の目標信号と前記第１の等化信号とから拘束長ｍのＰＲＭＬ方式に基づいて第１の二値化信号を得る第１の最尤復号回路と、を有し、
前記第２のＰＲＭＬ処理回路は、
前記多値信号を拘束長ｎのＰＲＭＬ方式の目標信号に等化する第２の等化回路と、
前記第２の等化回路の出力である第２の等化信号と最尤復号出力である二値化信号とから拘束長ｎのＰＲＭＬ方式の第２の目標信号を生成する第２の基準値生成回路と、
前記第２の等化信号と前記第２の目標信号とから前記第２の等化回路のパラメータを決定する第２の適応学習回路と、
前記第２の目標信号と前記第２の等化信号とから拘束長ｎのＰＲＭＬ方式に基づいて第２の二値化信号を得る第２の最尤復号回路と、を有し、
前記第１または第２の最尤復号回路の出力を選択して出力するスイッチと、
前記スイッチの出力をデコード処理して再生データ信号を出力するデコーダと、
前記多値信号と前記スイッチの出力とから前記多値信号の高周波数成分の振幅値を測定する測定回路と、
前記測定回路の出力に基づいて、前記第１または第２の最尤復号回路の出力から選択するように前記スイッチを切り替え制御する判定回路と、を具備することを特徴とする光ディスク再生装置。
【請求項４】
請求項３記載の光ディスク再生装置において、
前記判定回路は、前記測定回路の出力である高周波数成分の振幅値が、予め設定された値を下回る期間のみ、前記第２の最尤復号回路の出力を選択するように制御することを特徴とする光ディスク再生装置。
【請求項５】
光ディスクにレーザー光を照射してその反射光を電気信号に変換するピックアップと、
前記ピックアップの出力である電気信号にアナログ処理を行うアナログフロントエンドと、
前記アナログフロントエンドの出力であるアナログ信号をデジタル化して多値信号を出力するデジタル化回路と、
拘束長ｍのＰＲＭＬ方式の第１のＰＲＭＬ処理回路と、
拘束長ｎ（ｎ≧ｍ）のＰＲＭＬ方式の第２のＰＲＭＬ処理回路と、を有し、
前記第１のＰＲＭＬ処理回路は、
前記多値信号を拘束長ｍのＰＲＭＬ方式の目標信号に等化する第１の等化回路と、
前記第１の等化回路の出力である第１の等化信号と最尤復号出力である二値化信号とから拘束長ｍのＰＲＭＬ方式の第１の目標信号を生成する第１の基準値生成回路と、
前記第１の等化信号と前記第１の目標信号とから前記第１の等化回路のパラメータを決定する第１の適応学習回路と、
前記第１の目標信号と前記第１の等化信号とから拘束長ｍのＰＲＭＬ方式に基づいて第１の二値化信号を得る第１の最尤復号回路と、を有し、
前記第２のＰＲＭＬ処理回路は、
前記多値信号を拘束長ｎのＰＲＭＬ方式の目標信号に等化する第２の等化回路と、
前記第２の等化回路の出力である第２の等化信号と最尤復号出力である二値化信号とから拘束長ｎのＰＲＭＬ方式の第２の目標信号を生成する第２の基準値生成回路と、
前記第２の等化信号と前記第２の目標信号とから前記第２の等化回路のパラメータを決定する第２の適応学習回路と、
前記第２の目標信号と前記第２の等化信号とから拘束長ｎのＰＲＭＬ方式に基づいて第２の二値化信号を得る第２の最尤復号回路と、を有し、
前記第１または第２の最尤復号回路の出力を選択して出力するスイッチと、
前記スイッチの出力をデコード処理して再生データ信号を出力するデコーダと、
前記アナログフロントエンドの出力であるフォーカスの状態を示す信号に基づいて、前記第１または第２の最尤復号回路の出力から選択するように前記スイッチを切り替え制御する判定回路と、を具備することを特徴とする光ディスク再生装置。
【請求項６】
請求項５記載の光ディスク再生装置において、
前記判定回路は、前記フォーカスの状態を示す信号が、一定時間以上もしくは一定頻度以上で発生する期間のみ、前記第２の最尤復号回路の出力を選択するように制御することを特徴とする光ディスク再生装置。
【請求項７】
光ディスクにレーザー光を照射してその反射光を電気信号に変換するピックアップと、
前記ピックアップの出力である電気信号にアナログ処理を行うアナログフロントエンドと、
前記アナログフロントエンドの出力であるアナログ信号をデジタル化して多値信号を出力するデジタル化回路と、
拘束長ｍのＰＲＭＬ方式の第１のＰＲＭＬ処理回路と、
拘束長ｎ（ｎ≧ｍ）のＰＲＭＬ方式の第２のＰＲＭＬ処理回路と、を有し、
前記第１のＰＲＭＬ処理回路は、
前記多値信号を拘束長ｍのＰＲＭＬ方式の目標信号に等化する第１の等化回路と、
前記第１の等化回路の出力である第１の等化信号と最尤復号出力である二値化信号とから拘束長ｍのＰＲＭＬの第１の目標信号を生成する第１の基準値生成回路と、
前記第１の等化信号と前記第１の目標信号とから前記第１の等化回路のパラメータを決定する第１の適応学習回路と、
前記第１の目標信号と前記第１の等化信号とから拘束長ｍのＰＲＭＬ方式に基づいて第１の二値化信号を得る第１の最尤復号回路と、を有し、
前記第２のＰＲＭＬ処理回路は、
前記多値信号を拘束長ｎのＰＲＭＬ方式の目標信号に等化する第２の等化回路と、
前記第２の等化回路の出力である第２の等化信号と最尤復号出力である二値化信号とから拘束長ｎのＰＲＭＬの第２の目標信号を生成する第２の基準値生成回路と、
前記第２の等化信号と前記第２の目標信号とから前記第２の等化回路のパラメータを決定する第２の適応学習回路と、
前記第２の目標信号と前記第２の等化信号とから拘束長ｎのＰＲＭＬ方式に基づいて第２の二値化信号を得る第２の最尤復号回路と、を有し、
前記第１または第２の最尤復号回路の出力を選択して出力するスイッチと、
前記スイッチの出力をデコード処理して再生データ信号を出力するデコーダと、
再生中または再生する前記光ディスクの種類と再生速度の情報を取得または判定する回路と、
前記光ディスクの種類または再生速度の情報に基づいて、前記第１または第２の最尤復号回路の出力から選択するように前記スイッチを切り替え制御する判定回路と、を具備することを特徴とする光ディスク再生装置。
【請求項８】
請求項７記載の光ディスク再生装置において、
前記判定回路は、前記光ディスクの種類と再生速度が、予め設定された組み合わせである場合のみ、前記第２の最尤復号回路の出力を選択するように制御することを特徴とする光ディスク再生装置。
【請求項９】
光ディスクにレーザー光を照射してその反射光を電気信号に変換するピックアップと、
前記ピックアップの出力である電気信号にアナログ処理を行うアナログフロントエンドと、
前記アナログフロントエンドの出力であるアナログ信号をデジタル化して多値信号を出力するデジタル化回路と、
拘束長ｍのＰＲＭＬ方式の第１のＰＲＭＬ処理回路と、
拘束長ｎ（ｎ≧ｍ）のＰＲＭＬ方式の第２のＰＲＭＬ処理回路と、を有し、
前記第１のＰＲＭＬ処理回路は、
前記多値信号を拘束長ｍのＰＲＭＬ方式の目標信号に等化する第１の等化回路と、
前記第１の等化回路の出力である第１の等化信号と最尤復号出力である二値化信号とから拘束長ｍのＰＲＭＬ方式の第１の目標信号を生成する第１の基準値生成回路と、
前記第１の等化信号と前記第１の目標信号とから前記第１の等化回路のパラメータを決定する第１の適応学習回路と、
前記第１の目標信号と前記第１の等化信号とから拘束長ｍのＰＲＭＬ方式に基づいて第１の二値化信号を得る第１の最尤復号回路と、を有し、
前記第２のＰＲＭＬ処理回路は、
前記多値信号を拘束長ｎのＰＲＭＬ方式の目標信号に等化する第２の等化回路と、
前記第２の等化回路の出力である第２の等化信号と最尤復号出力である二値化信号とから拘束長ｎのＰＲＭＬ方式の第２の目標信号を生成する第２の基準値生成回路と、
前記第２の等化信号と前記第２の目標信号とから前記第２の等化回路のパラメータを決定する第２の適応学習回路と、
前記第２の目標信号と前記第２の等化信号とから拘束長ｎのＰＲＭＬ方式に基づいて第２の二値化信号を得る第２の最尤復号回路と、を有し、
前記第１の二値化信号からデコード処理を行う第１のデコーダと、
前記第２の二値化信号からデコード処理を行う第２のデコーダと、
前記第１または第２のデコーダの出力を選択して出力するスイッチと、
前記第１のデコーダにおける誤り訂正処理中に得られる第１の誤り検出数と、前記第２のデコーダにおける誤り訂正処理中に得られる第２の誤り検出数と、を比較した結果に基づいて、前記第１または第２のデコーダの出力から選択するように前記スイッチを切り替え制御する判定回路と、を具備することを特徴とする光ディスク再生装置。
【請求項１０】
請求項９記載の光ディスク再生装置において、
前記判定回路は、前記第１の誤り検出数が前記第２の誤り検出数を下回る期間が一定時間以上続く期間に、前記第１の最尤復号回路の出力を選択するように制御し、前記第２の誤り検出数が前記第１の誤り検出数を下回る期間が一定時間以上続く期間に、前記第２の最尤復号回路の出力を選択するように制御すること、を特徴とする光ディスク再生装置。
【請求項１１】
光ディスクにレーザー光を照射してその反射光を電気信号に変換するピックアップと、
前記ピックアップの出力である電気信号にアナログ処理を行うアナログフロントエンドと、
前記アナログフロントエンドの出力であるアナログ信号をデジタル化して多値信号を出力するデジタル化回路と、
拘束長ｍのＰＲＭＬ方式の第１のＰＲＭＬ処理回路と、
拘束長ｎ（ｎ≧ｍ）のＰＲＭＬ方式の第２のＰＲＭＬ処理回路と、を有し、
前記第１のＰＲＭＬ処理回路は、
前記多値信号を拘束長ｍのＰＲＭＬ方式の目標信号に等化する第１の等化回路と、
前記第１の等化回路の出力である第１の等化信号と最尤復号出力である二値化信号とから拘束長ｍのＰＲＭＬ方式の第１の目標信号を生成する第１の基準値生成回路と、
前記第１の等化信号と前記第１の目標信号とから前記第１の等化回路のパラメータを決定する第１の適応学習回路と、
前記第１の目標信号と前記第１の等化信号とから拘束長ｍのＰＲＭＬ方式に基づいて第１の二値化信号を得る第１の最尤復号回路と、を有し、
前記第２のＰＲＭＬ処理回路は、
前記多値信号を拘束長ｎのＰＲＭＬ方式の目標信号に等化する第２の等化回路と、
前記第２の等化回路の出力である第２の等化信号と最尤復号出力である二値化信号とから拘束長ｎのＰＲＭＬ方式の第２の目標信号を生成する第２の基準値生成回路と、
前記第２の等化信号と前記第２の目標信号とから前記第２の等化回路のパラメータを決定する第２の適応学習回路と、
前記第２の目標信号と前記第２の等化信号とから拘束長ｎのＰＲＭＬ方式に基づいて第２の二値化信号を得る第２の最尤復号回路と、を有し、
前記第１または第２の最尤復号回路の出力を選択して出力するスイッチと、
前記スイッチの出力である二値化信号からデコード処理を行う１つのデコーダと、
前記デコーダにおける誤り訂正処理中に得られる誤り検出数に基づいて、前記第１または第２の最尤復号回路の出力から選択するように前記スイッチを切り替え制御する判定回路と、を具備することを特徴とする光ディスク再生装置。
【請求項１２】
請求項１１記載の光ディスク再生装置において、
前記第１及び第２の最尤復号回路の出力である二値化信号から得られる誤り検出数を時系列で測定して、前記第１の二値化信号から得られる第１の誤り検出数と、前記第２の二値化信号から得られる第２の誤り検出数とを、前記判定回路に記録し、
前記判定回路は、前記記録された第２の誤り検出数が前記第１の誤り検出数を下回る場合のみ、前記第２の最尤復号回路の出力を選択するように制御すること、を特徴とする光ディスク再生装置。
【請求項１３】
請求項１１記載の光ディスク再生装置において、
前記判定回路は、前記第１の最尤復号回路の出力を選択している状態で、前記デコーダで誤り訂正処理ができない誤り訂正不能が発生した場合、前記第２の最尤復号回路の出力を選択するように制御し、前記第２の最尤復号回路の出力を選択している状態で、前記デコーダで誤り訂正処理ができない誤り訂正不能が発生した場合、前記第１の最尤復号回路の出力を選択するように制御すること、を特徴とする光ディスク再生装置。
【請求項１４】
光ディスクにレーザー光を照射してその反射光を電気信号に変換するピックアップと、
前記ピックアップの出力である電気信号にアナログ処理を行うアナログフロントエンドと、
前記アナログフロントエンドの出力であるアナログ信号をデジタル化して多値信号を出力するデジタル化回路と、
拘束長ｍのＰＲＭＬ方式の第１のＰＲＭＬ処理回路と、
拘束長ｎ（ｎ≧ｍ）のＰＲＭＬ方式の第２のＰＲＭＬ処理回路と、を有し、
前記第１のＰＲＭＬ処理回路は、
前記多値信号を拘束長ｍのＰＲＭＬ方式の目標信号に等化する第１の等化回路と、
前記第１の等化回路の出力である第１の等化信号と最尤復号出力である二値化信号とから拘束長ｍのＰＲＭＬ方式の第１の目標信号を生成する第１の基準値生成回路と、
前記第１の等化信号と前記第１の目標信号とから前記第１の等化回路のパラメータを決定する第１の適応学習回路と、
前記第１の目標信号と前記第１の等化信号とから拘束長ｍのＰＲＭＬ方式に基づいて第１の二値化信号を得る第１の最尤復号回路と、を有し、
前記第２のＰＲＭＬ処理回路は、
前記多値信号を拘束長ｎのＰＲＭＬ方式の目標信号に等化する第２の等化回路と、
前記第２の等化回路の出力である第２の等化信号と最尤復号出力である二値化信号とから拘束長ｎのＰＲＭＬ方式の第２の目標信号を生成する第２の基準値生成回路と、
前記第２の等化信号と前記第２の目標信号とから前記第２の等化回路のパラメータを決定する第２の適応学習回路と、
前記第２の目標信号と前記第２の等化信号とから拘束長ｎのＰＲＭＬ方式に基づいて第２の二値化信号を得る第２の最尤復号回路と、を有し、
前記第１または第２の最尤復号回路の出力を選択して出力するスイッチと、
前記スイッチの出力である二値化信号からデコード処理を行うデコーダと、
前記第１の目標信号または前記第２の目標信号またはその両方に基づいて、前記第１または第２の最尤復号回路の出力から選択するように前記スイッチを切り替え制御する判定回路と、を具備することを特徴とする光ディスク再生装置。
【請求項１５】
請求項１４記載の光ディスク再生装置において、
前記判定回路は、前記第２の目標信号における各基準レベル間の間隔が、予め記録された値を下回る期間のみ、前記第１の最尤復号回路の出力を選択するように制御すること、を特徴とする光ディスク再生装置。
【請求項１６】
光ディスクにレーザー光を照射してその反射光を電気信号に変換するピックアップと、
前記ピックアップの出力である電気信号にアナログ処理を行うアナログフロントエンドと、
前記アナログフロントエンドの出力であるアナログ信号をデジタル化して多値信号を出力するデジタル化回路と、
前記多値信号を、拘束長ｍのＰＲＭＬ方式の目標信号、または、拘束長ｎ（ｎ≧ｍ）のＰＲＭＬ方式の目標信号、に等化する等化回路と、
前記等化回路の出力である等化信号と最尤復号出力である二値化信号とから、拘束長ｍのＰＲＭＬ方式の第１の目標信号、または、拘束長ｎのＰＲＭＬ方式の第２の目標信号、を生成する基準値生成回路と、
前記等化回路の出力である等化信号と前記基準値生成回路の出力である目標信号とから、前記等化回路のパラメータを決定する適応学習回路と、
前記基準値生成回路の出力である目標信号と前記等化回路の出力である等化信号とから、拘束長ｍのＰＲＭＬ方式または拘束長ｎのＰＲＭＬ方式に基づいて二値化信号を得る最尤復号回路と、
前記最尤復号回路の前段に配置され、前記拘束長ｍ，ｎによって、前記最尤復号回路に入力されるデータのサンプリング位置を切り替える補間回路と、
前記最尤復号回路の出力である二値化信号をデコード処理するデコーダと、
前記第１または第２のＰＲＭＬ方式から選択するように前記補間回路と前記基準値生成回路を制御する判定回路と、を具備することを特徴とする光ディスク再生装置。
【請求項１７】
請求項１〜１６のいずれか一項に記載の光ディスク再生装置において、
前記ｍは４であり、前記ｎは５であることを特徴とする光ディスク再生装置。
【発明の詳細な説明】
【技術分野】
【０００１】
本発明は、光ディスクからデータ信号を読み取り再生する光ディスク再生装置に関し、特に、パーシャルレスポンス（ＰＲ）等化及び最尤復号の処理方式（ＰＲＭＬ：Partial Response Maximum Likelihood）に関する。
【背景技術】
【０００２】
従来の光ディスク再生装置及びＰＲＭＬ処理に係わり、特開２００６−４８７３７号公報（特許文献１）には、光ディスクの記録密度の高／低の領域に応じてＰＲＭＬ処理機能を切り替えることについて記載されている（段落０００６，０００７等）。
【０００３】
また、特開２００４−１７８６２７号公報（特許文献２）には、入力値と生成情報ビットによりパス毎の基準値（基準レベル）を基準値生成回路で生成してブランチメトリック演算回路の基準値として入力するようにしたビタビ復号回路及び情報再生装置について記載されている（段落００２３等）。また、ブランチメトリック演算のための基準レベルを適応処理することにより、チャネル特性の変動に追随することが可能となる、と記載されている（段落００２３）。
【特許文献１】特開２００６−４８７３７号公報
【特許文献２】特開２００４−１７８６２７号公報
【発明の開示】
【発明が解決しようとする課題】
【０００４】
前記特許文献１記載の技術では、記録密度の異なる領域において夫々に適したＰＲＭＬのクラスを使用することは可能である。しかし、同じ種類のディスクで同じ記録密度の領域において、記録密度変化以外の要因によって再生信号の符号間干渉量などの特性が変化した場合については、対応することができない。
【０００５】
また、前記特許文献２記載の技術では、ＰＲ（ａ，ｂ，ｃ，ｄ）で表されるような拘束長（以下ｋとする）が４（一定）のＰＲ特性（ＰＲＭＬ処理）へは適応的に特性を変化させることができる。しかし、ＰＲ（ａ，ｂ，ｃ）（ｋ＝３）やＰＲ（ａ，ｂ，ｃ，ｄ，ｅ）（ｋ＝５）といった別の拘束長のＰＲ特性へ適応的に切り替えることはできない。
【０００６】
ディスクの高記録密度化に伴い、従来のような一定の拘束長（例：ｋ＝４）のＰＲＭＬ処理では、データ再生時の信号の読み取りの精度に関して、望ましい効果が得られるとは限らない問題がある。第１の問題として、従来は、ＰＲＭＬ処理機能の切り替えの方法が固定されているので、最適なＰＲＭＬのクラス（ＰＲ係数）を選択できるとは限らなかった。第２の問題として、従来は、ＰＲＭＬの拘束長（ｋ）が固定であったので、ある程度の幅の再生信号特性には対応できるが、狭帯域に対応する拘束長のＰＲＭＬに固定してしまうと、広帯域の信号に対しては誤りが発生しやすくなる。
【０００７】
本発明は以上のような問題に鑑みてなされたものであり、その目的は、ＰＲＭＬ処理を行う光ディスク再生装置に係わり、記録密度以外の要因でも変化する再生信号特性に対して適切なＰＲＭＬ処理により対応でき、また、異なる拘束長（ｋ）のＰＲ特性で対応でき、データ再生時の信号の読み取りの精度（性能）を向上できる技術を提供することにある。
【課題を解決するための手段】
【０００８】
本願において開示される発明のうち、代表的なものの概要を簡単に説明すれば、次のとおりである。前記目的を達成するために、本発明は、光ディスク再生装置の技術であって、以下の構成を特徴とする。
【０００９】
本光ディスク再生装置では、データ再生時のＰＲＭＬ処理に際し、前提技術として前記特許文献２の技術のように適応的にＰＲ特性のＰＲ係数（ＰＲのクラスの係数）を変化させるだけでなく、特徴として、再生信号特性に応じて適応的に、拘束長（ｋ）の異なる複数のＰＲＭＬ処理を選択（切り替え）するように制御するものである。また、本装置では、記録密度以外に再生信号の周波数特性などを測定・検出等して条件判定することにより、常に最適な拘束長（ｋ）のＰＲＭＬ処理回路を選択するようにする。
【００１０】
本光ディスク再生装置は、例えば以下の構成である。本装置は、光ディスクにレーザー光を照射してその反射光を電気信号に変換するピックアップと、前記ピックアップの出力である電気信号にアナログ処理を行うアナログフロントエンドと、前記アナログフロントエンドの出力であるアナログ信号をデジタル化して多値信号を出力するデジタル化回路（Ａ／Ｄコンバータ）と、拘束長ｍ（ｍ：自然数）のＰＲＭＬ方式の第１のＰＲＭＬ処理回路と、拘束長ｎ（ｎ≧ｍ）のＰＲＭＬ方式の第２のＰＲＭＬ処理回路と、前記第１または第２のＰＲＭＬ処理回路の出力を選択して出力するスイッチと、前記スイッチの出力をデコード処理して再生データ信号を出力するデコーダと、前記スイッチを切り替え制御する判定回路と、を備える。
【００１１】
前記第１のＰＲＭＬ処理回路は、前記多値信号を拘束長ｍのＰＲＭＬ方式の目標信号に等化する第１の等化回路と、前記第１の等化回路の出力である第１の等化信号と第１の最尤復号回路の出力とから拘束長ｍのＰＲＭＬ方式の第１の目標信号を生成する第１の基準値生成回路と、前記第１の等化信号と前記第１の目標信号と前記多値信号とから前記第１の等化回路のパラメータ（フィルタ係数）を決定する第１の適応学習回路と、前記第１の目標信号と前記第１の等化信号とから拘束長ｍのＰＲＭＬ方式に基づいて第１の二値化信号を得る第１の最尤復号回路とを有する。同様に、前記第２のＰＲＭＬ処理回路は、前記多値信号を拘束長ｎのＰＲＭＬ方式の目標信号に等化する第２の等化回路と、前記第２の等化回路の出力である第２の等化信号と第２の最尤復号回路の出力とから拘束長ｎのＰＲＭＬ方式の第２の目標信号を生成する第２の基準値生成回路と、前記第２の等化信号と前記第２の目標信号と前記多値信号とから前記第２の等化回路のパラメータ（フィルタ係数）を決定する第２の適応学習回路と、前記第２の目標信号と前記第２の等化信号とから拘束長ｎのＰＲＭＬ方式に基づいて第２の二値化信号を得る第２の最尤復号回路とを有する。
【００１２】
そして、前記判定回路では、前記第１の適応学習回路で演算される、前記第１の等化信号と前記第１の目標信号との差分である第１の等化誤差値と、前記第２の適応学習回路で演算される、前記第２の等化信号と前記第２の目標信号との差分である第２の等化誤差値と、を比較し条件判定した結果に基づいて、前記拘束長ｍまたはｎのＰＲＭＬ方式の、前記第１または第２の最尤復号回路の出力（第１または第２の二値化信号）から適切な方（再生信号特性とＰＲ特性が近くなる方）を選択するように、前記スイッチを切り替え制御する。
【００１３】
また特に、前記判定回路は、前記第２の等化誤差値（Ｃ２）が前記第１の等化誤差値（Ｃ１）を下回る（Ｃ２＜Ｃ１）期間が一定時間以上続く期間のみに、前記第２の最尤復号回路の出力（第２の二値化信号）を選択するように制御する。
【発明の効果】
【００１４】
本願において開示される発明のうち、代表的なものによって得られる効果を簡単に説明すれば以下のとおりである。本発明によれば、ＰＲＭＬ処理を行う光ディスク再生装置に係わり、記録密度以外の要因でも変化する再生信号特性に対して適切なＰＲＭＬ処理により対応でき、また、異なる拘束長（ｋ）のＰＲ特性で対応でき、データ再生時の信号の読み取りの精度（性能）を向上できる。
【００１５】
特に、ＰＲＭＬの拘束長（ｋ）及びＰＲ係数を適応的に変更することで、精度向上が可能となる。また、光ディスクの線記録密度、再生倍速、光ディスク再生装置の電子回路素子特性、伝送線路特性、光学系特性などにより再生信号波形の符号間干渉量などの特性が状況によって異なる場合に、適切な拘束長（ｋ）のＰＲＭＬ処理回路を選択することで、精度向上が可能となる。
【発明を実施するための最良の形態】
【００１６】
以下、本発明の実施の形態を図面に基づいて詳細に説明する。なお、実施の形態を説明するための全図において、同一部には原則として同一符号を付し、その繰り返しの説明は省略する。なお、ＰＲＭＬ処理回路におけるＰＲ特性を、ＰＲ（ａ，ｂ，ｃ，ｄ）といった形で表す。このａ〜ｄ等は、ＰＲのクラスの係数（ＰＲ係数）である。
【００１７】
（実施の形態１）
図１〜図４を用いて、本発明の実施の形態１を説明する。実施の形態１では、ＰＲＭＬ方式を用いた光ディスク再生装置において、記録媒体の線記録密度、再生倍速、電子回路素子特性、伝送線路特性、光学系特性などにより符号間干渉が状況によって変化する場合に、ＰＲＭＬの拘束長（ｋ）及びＰＲ係数を適応的に変更することができる構成である。本装置では、特徴として、等化誤差の判定に基づき、拘束長（ｋ）の異なるＰＲＭＬを切り替える。
【００１８】
図１において、実施の形態１である光ディスク再生装置及びそれを含んで構成されるシステムの構成を示している。本装置は、拘束長（ｋ）が異なる２つのＰＲＭＬ処理回路（１０６，１０７）を備え、判定回路１１７によりそれらの等化誤差値を比較し判定した結果に基づき、２つのＰＲＭＬ処理回路（１０６，１０７）の出力を切り替える。本装置は、通常は、ｋ＝４の第１のＰＲＭＬ処理回路（１０６）の側を選択し、等化誤差値（ｓ２１，ｓ２２）が所定条件を満たす場合に、ｋ＝５の第２のＰＲＭＬ処理回路（１０７）の側を選択する。
【００１９】
本実施の形態１及びその他の各実施の形態においては、第１の拘束長（ｋ１）のＰＲＭＬを、ｋ＝４のＰＲＭＬとし、第２の拘束長（ｋ２）のＰＲＭＬを、ｋ＝５のＰＲＭＬとする。
【００２０】
＜符号間干渉＞
ここで、図２を用いて、上記符号間干渉について説明する。例えば記録媒体の線記録密度を高めると、光ピックアップの集光ビーム径は有限であることから、読み出し信号間の干渉（符号間干渉）が大きくなり、高い周波数成分の振幅が低下する。例えば、容量が１５ＧＢ／ｓｉｄｅのＨＤ ＤＶＤ−ＲＯＭを再生した場合の再生信号（１）と、容量が２０ＧＢ／ｓｉｄｅのＨＤ ＤＶＤ−ＲＯＭを再生した場合の再生信号（２）とにおける、再生信号の周波数に対する振幅特性を示している。尚、周波数は再生クロックで正規化され、振幅値はＤＣでの値で正規化されている。この２つの特性を比較したとき、２０ＧＢ／ｓｉｄｅの方の再生信号（２）は、高域での振幅が１５ＧＢ／ｓｉｄｅの方の再生信号（１）の振幅よりも低下していることがわかる。
【００２１】
また、図２では、上記再生信号（１），（２）の特性と共に、拘束長（ｋ）が異なるＰＲ特性として、ｋ＝４のＰＲ（１，２，２，１）と、ｋ＝５のＰＲ（１，２，２，２，１）とにおける周波数に対する振幅特性も示している。これらの特性を比較すると、ＰＲ（１，２，２，２，１）の特性は、２０ＧＢ／ｓｉｄｅの方の再生信号（２）の特性に近い。このことから、高域の振幅が低下している場合、ｋ＝５のＰＲ（１，２，２，２，１）で等化する方が望ましい。ただし、ｋ＝５のＰＲ（１，２，２，２，１）は、ｋ＝４のＰＲ（１，２，２，１）に比べて、復号誤りを起し易い。
【００２２】
＜状態遷移及び基準レベル＞
また、図３において、（ａ）でｋ＝５のＰＲ（１，２，２，２，１）、（ｂ）でｋ＝４のＰＲ（１，２，２，１）、における状態遷移図及び状態によるレベル（基準レベル）の分布を示している。ｋ＝５の方がｋ＝４よりも存在する状態数が多く、それに伴って存在する基準レベル数も多い。基準レベル数は、ｋ＝５では９個、ｋ＝４では７個である。基準レベル数が多いことから、ｋ＝５の方では、隣接するレベルとの差（レベル間隔（ａ２等））が小さく、ビタビ復号時にパスメトリックの差が小さくなり復号を誤る可能性が高くなる。よって、図２の１５ＧＢ／ｓｉｄｅの方の再生信号（１）のように、ｋ＝４のＰＲ（１，２，２，１）の特性に近く、ｋ＝４で等化できる時は、ｋ＝４のＰＲＭＬで処理するのが望ましい。
【００２３】
＜等化誤差＞
またここで、図４を用いて、等化誤差について説明する。等化誤差（：Ｃで示す）とは、ＰＲ特性と二値化データの畳み込みで得られる目標となる波形（等化目標：Ａで示す）と、実際に等化回路で等化を行った出力（等化出力：Ｂで示す）との差分である。この等化誤差（Ｃ）は、等化目標（Ａ）に対して、どの程度等化できているかを示す指標としても用いることができ、等化誤差（Ｃ）が小さい程、目標となるＰＲ特性に近いと言える。
【００２４】
＜装置構成＞
図１において本光ディスク再生装置の詳細構成を説明する。本光ディスク再生装置は、ＬＳＩ（光ディスク再生ＬＳＩ）１００、セットされる光ディスク（ディスク）１０１、ピックアップ１０２、モータ１０３、及びマイコン１２０等を備える。ＬＳＩ１００とマイコン１２０が接続される。尚、ＬＳＩ１００とマイコン１２０は、一体的なＩＣ基板として構成されることも可能である。また、本装置（特にデコーダ１１８）に対してホスト１１９が接続される。本装置は、例えば、ＨＤ ＤＶＤドライブ等である。マイコン１２０は、制御部であり、ＬＳＩ１００部分を含む本システムを統括する。ホスト１１９は、光ディスク再生装置の外部に設けられた、例えばユーザのＰＣ等の情報処理装置である。
【００２５】
光ディスク１０１は、データが記録された記録媒体であり、例えばＨＤ ＤＶＤである。ピックアップ１０２は、光ディスク１０１のデータ信号の読み取りを行う。スピンドルモータ１０３は、光ディスク１０１を回転させる。
【００２６】
ＬＳＩ１００は、ＡＦＥ１０４、Ａ／Ｄコンバータ１０５、第１拘束長ＰＲＭＬ処理回路１０６、第２拘束長ＰＲＭＬ処理回路１０７、スイッチ１１６、判定回路（拘束長判定回路）１１７、デコーダ１１８を有する。
【００２７】
アナログ・フロント・エンド（Analog Front End：ＡＦＥ）１０４は、光ディスク１０１からピックアップ１０２により読み取られたデータ（ｓ１）におけるアナログ処理を行う。Ａ／Ｄコンバータ１０５は、ＡＦＥ１０４からのアナログ信号（ｓ２）をデジタル信号（多値信号）（ｓ３）に変換する。
【００２８】
第１拘束長ＰＲＭＬ処理回路（第１のＰＲＭＬ回路）１０６は、第１の拘束長（ｋ１）のＰＲＭＬ方式でのＰＲＭＬ処理を行う。第２拘束長ＰＲＭＬ処理回路（第２のＰＲＭＬ回路）１０７は、第２の拘束長（ｋ２）のＰＲＭＬ方式でのＰＲＭＬ処理を行う。例として、第１の拘束長（ｋ１）のＰＲＭＬ（第１のＰＲＭＬ１０６）を、ＰＲ（ａ，ｂ，ｃ，ｄ）のようなｋ＝４のＰＲＭＬとし、第２の拘束長（ｋ２）のＰＲＭＬ（第２のＰＲＭＬ１０７）を、ＰＲ（ａ，ｂ，ｃ，ｄ，ｅ）のようなｋ＝５のＰＲＭＬとする。ＰＲ係数（ａ〜ｅ等）は、適宜設定可能である。
【００２９】
ｋ＝４の第１のＰＲＭＬ回路１０６は、第１適応等化回路１０８、第１適応学習回路１１０、第１基準値生成回路１１２、第１最尤復号回路１１４を有している。
【００３０】
第１適応等化回路１０８は、入力信号（ｓ３）を所望のＰＲ特性（係数）に等化する処理を行う。第１適応等化回路１０８は、第１適応学習回路１１０で決定されるフィルタ係数（ｓ５１）に基づき等化処理した信号（ｓ３１）を各部へ出力する。
【００３１】
第１適応学習回路１１０は、第１適応等化回路１０８の等化処理に必要なフィルタ係数（ｓ５１）を計算する。第１適応学習回路１１０は、入力値（ｓ３１）と、基準値（ｓ７１）と、出力値（ｓ４１）とから、フィルタ係数（ｓ５１）を演算により決定する。また、第１適応学習回路１１０は、等化値（ｓ３１）と基準値（ｓ７１）とから演算される等化誤差（Ｃ）の信号（ｓ２１）を判定回路１１７へ出力する。
【００３２】
第１基準値生成回路１１２は、入力値（ｓ３１）と、第１最尤復号回路１１４で生成した情報ビット（二値化信号）（ｓ４１）のパターンとにより、各パスの基準値（基準レベル）（ｓ６１，ｓ７１）を生成する。なお、基準値生成回路が最尤復号回路内に含まれる構成でも同様である。
【００３３】
第１最尤復号回路１１４は、第１基準値生成回路１１２で生成される各パスの基準値（ｓ６１）をブランチメトリック演算回路の基準値として入力するようにした回路であり、これにより最尤復号処理し、二値化信号（ｓ４１）を出力する。
【００３４】
また、ｋ＝５の第２のＰＲＭＬ回路１０７は、第１のＰＲＭＬ回路１０６と同様に、第２適応等化回路１０９、第２適応学習回路１１１、第２基準値生成回路１１３、第２最尤復号回路１１５を有している。それらの各部の機能は、特性や処理値が異なるが、第１のＰＲＭＬ回路１０６の側と同様である。
【００３５】
スイッチ１１６は、第１最尤復号回路１１４と第２最尤復号回路１１５の出力（ｓ１１，ｓ１２）から一方のみを選択して出力する。その切り替えの制御は、判定回路１１７からの信号（ｓ２３）により行われる。
【００３６】
デコーダ１１８は、スイッチ１１６で選択された二値化データ（ｓ１３）についての、復調処理、誤り訂正演算処理、デスクランブル処理、及び外部（ホスト１１９）へのデータ（ｓ１４）の出力の制御を行う。
【００３７】
判定回路１１７は、第１と第２のＰＲＭＬ回路（１０６，１０７）からの等化誤差値の信号（ｓ２１，ｓ２１）の入力に基づき、再生信号の特性（符号間干渉量）に応じた、適した拘束長（ｋ）のＰＲＭＬ回路（１０６，１０７）を判定し、信号（ｓ２３）によりスイッチ１１６の切り替えを制御する。
【００３８】
＜再生動作＞
本光ディスク再生装置における再生動作について説明する。ディスク１０１からピックアップ１０２を介して読み取られた信号（ｓ１）は、ＡＦＥ１０４においてアナログ処理が行われ、その信号（ｓ２）がＡ／Ｄコンバータ１０５に入力される。Ａ／Ｄコンバータ１０５でデジタル化された信号（ｓ３）は、ｋ＝４の第１のＰＲＭＬ回路１０６及びｋ＝５の第２のＰＲＭＬ回路１０７に入力される。
【００３９】
ｋ＝４の第１のＰＲＭＬ回路１０６では、以下の処理が行われる。第１基準値生成回路１１２で生成された基準値（ｓ７１）から等化目標となるＰＲ（ａ，ｂ，ｃ，ｄ）が決定される。そして、第１適応学習回路１１０において、第１最尤復号回路１１４の復号データ（ｓ４１）と基準値（ｓ７１）即ちＰＲ（ａ，ｂ，ｃ，ｄ）とから等化目標信号（Ａ）を生成する。そして、第１適応学習回路１１０において、その等化目標信号（Ａ）と、第１適応等化回路１０８の出力信号（ｓ３１）即ち等化出力（Ｂ）と、の差分である等化誤差（Ｃ）が小さくなるように、第１適応等化回路１０８のフィルタ係数（ｓ５１）を計算する。Ａ／Ｄコンバータ１０５の出力信号（ｓ３）を第１適応等化回路１０８で等化処理した信号（ｓ３１）は、第１最尤復号回路１１４に入力され、第１基準値生成回路１１２の基準値（ｓ６１）をもとに、ビタビ復号などを用いて最も確からしい二値の符号（ｓ４１）に復号される。
【００４０】
また、ｋ＝５の第２拘束長ＰＲＭＬ処理回路１０７では、同様に、以下の処理が行われる。第２基準値生成回路１１３で生成された基準値（ｓ７２）から等化目標となるＰＲ（ａ，ｂ，ｃ，ｄ，ｅ）が決定される。そして、第２適応学習回路１１１において、第２最尤復号回路１１５の復号データ（ｓ４２）と基準値（ｓ７２）即ちＰＲ（ａ，ｂ，ｃ，ｄ，ｅ）とから等化目標信号（Ａ）を生成する。そして、第２適応学習回路１１１において、その等化目標信号（Ａ）と、第２適応等化回路１０９の出力信号（ｓ３２）即ち等化出力（Ｂ）と、の差分である等化誤差（Ｂ）が小さくなるように、第２適応等化回路１０９のフィルタ係数（ｓ５２）を計算する。Ａ／Ｄコンバータ１０５の出力信号（ｓ３）を第２適応等化回路１０９で等化処理した信号（ｓ３２）は、第２最尤復号回路１１５に入力され、第２基準値生成回路１１３の基準値をもとに、ビタビ復号などを用いて最も確からしい二値の符号（ｓ４２）に復号される。
【００４１】
ここで、ｋ＝４の第１のＰＲＭＬ回路１０６内にある第1適応学習回路１１０で演算されている等化誤差値（ｓ２１）と、ｋ＝５の第２のＰＲＭＬ回路１０７内にある第２適応学習回路１１１で演算されている等化誤差値（ｓ２２）とを、判定回路１１７に入力して比較する。判定回路１１７は、判定条件及び制御として、一定期間以上等化誤差値（ｓ２１，ｓ２２）が小さくなる方のＰＲＭＬ回路（１０６，１０７）の出力を選択するように、信号（ｓ２３）によりスイッチ１１６を切り替え制御する。換言すれば、判定回路１１７は、第２の等化誤差値（ｓ２２）が第１の等化誤差値（ｓ２１）を下回る（Ｃ２＜Ｃ１）状態が一定時間（閾値）以上続く場合、その期間のみに、第２最尤復号回路１１５の出力（ｓ４２）を選択するように制御する。
【００４２】
また、前述のようにｋ＝５のＰＲＭＬ（１０７）の方がｋ＝４のＰＲＭＬ（１０６）よりも復号誤りを起し易いため、上記判定回路１１７の判定によってｋ＝４からｋ＝５の側に出力を切り替える時は、等化誤差値（ｓ２１，ｓ２２）の差が所定の閾値を超えた時に限るようにする。これにより、復号誤りを避けることが可能となる。
【００４３】
スイッチ１１６から出力された復号データ（ｓ１３）は、デコーダ１１８に入力され、復調処理、誤り訂正処理、デスクランブル処理が行われた後、その信号（ｓ１４）即ち再生データが、ホスト１１９へ転送される。
【００４４】
以上で説明した、等化処理時の等化誤差（Ｃ）によりＰＲＭＬの拘束長（ｋ）を切り替える、即ち第１と第２のＰＲＭＬ回路（１０６，１０７）を切り替える回路構成及び判定方法によれば、ＰＲＭＬの拘束長（ｋ）及びＰＲ係数を、再生信号特性に応じて適応的に変更することができ、常に等化し易い方の拘束長（ｋ）のＰＲＭＬ回路が選択されることから、読み取り精度を上げることができる。
【００４５】
なお、前記ＰＲ係数は、基準値生成回路（１１２等）によって適応的に変化させることを想定して、ＰＲ（ａ，ｂ，ｃ，ｄ）といったように変数（ａ〜ｄ等）で記述している。これは、可変値ではなく固定値とした形態としてもよい（例えば図２に示すＰＲ特性）。また、ＰＲＭＬの拘束長（ｋ）も、前述した長さ（ｋ＝４，５）に制限されるものではない。さらに、上記で適応等化回路（１０８等）は適応学習回路（１１０等）によって特性を適応的に変化させているが、等化回路（１０８等）のフィルタ係数を固定にするなどして特性を固定にして使用する形態としてもよい。これらは実施の形態１に限らず以降の実施の形態においても同様である。
【００４６】
（実施の形態２）
図５等を用いて、本発明の実施の形態２を説明する。図５において、実施の形態２である光ディスク再生装置の構成を示している。本実施の形態２は、ＰＲＭＬ方式を用いた光ディスク再生装置において、記録媒体の線記録密度、再生倍速、電子回路素子特性、伝送線路特性、光学系特性などにより高周波数成分の振幅が状況によって変化する場合に、ＰＲＭＬの拘束長（ｋ）及びＰＲ係数を適応的に変更することができる。
【００４７】
実施の形態２の光ディスク再生装置（図５）は、実施の形態１の装置（図１）と相違するのは、主に、周波数特性測定回路５０１である。また、判定回路１１７での判定内容が異なり、高周波数成分振幅の判定を行う。
【００４８】
周波数特性測定回路５０１は、スイッチ１１６で選択された最尤復号回路（１１４，１１５）の出力の二値化データ（ｓ１３）から、そのビット列中の“０”または“１”の連続回数であるランレングスを測定し、ランレングス毎のＡ／Ｄコンバータ１０５の出力信号（ｓ３）の振幅を測定する。
【００４９】
本装置では、通常は、復号誤りの少ないｋ＝４の第１のＰＲＭＬ回路１０６の方を使用するようにスイッチ１１６を切り替え制御する。また、周波数特性測定回路５０１において、遅延調整したＡ／Ｄコンバータ１０５の出力（ｓ３）から各ランレングスに対応する振幅値を検出し、一定期間で平均化する。その平均化した信号（ｓ２４）を判定回路１１７へ入力する。なお上記遅延調整は、一般に信号が回路の後段に流れるに従って遅延するのでそれを調整することである。
【００５０】
判定回路１１７では、上記の結果（ｓ２４）から、低周波数成分である長いランレングスの振幅値と、高周波数成分である２Ｔ，３Ｔ（Ｔは周期）に相当するランレングスの振幅値との比を算出する。そして、判定回路１１７は、その振幅比が、予め設定された高周波数成分の振幅比（閾値）よりも小さくなる期間に、ｋ＝５の第２のＰＲＭＬ回路１０７の方を使用するように、信号（ｓ２３）によりスイッチ１１６を切り替え制御する。
【００５１】
以上で説明した、再生信号の高周波数成分の振幅によりＰＲＭＬの拘束長（ｋ）を切り替える方法によれば、ｋ＝４のＰＲＭＬ（１０６）で等化し難い高周波数成分の振幅が小さい信号では、ｋ＝５のＰＲＭＬ（１０７）の側が選択される。そして、通常は、復号誤りを起し難いｋ＝４の側が選択される。これらのことから、読み取り精度を上げることができる。また本実施の形態２は、実施の形態１の等化誤差で判定する方法よりも、判定位置が回路の前段にあるため、早く判定することが可能である。
【００５２】
尚、本実施の形態２では、周波数特性測定回路５０１においてランレングスに対する振幅値を算出することで簡易的に周波数特性を得ているが、周波数特性を算出する方法としてはこれに限らない。例えば、再生信号をフーリエ変換するなど別の方法により算出して判定を行う形態としてもよい。
【００５３】
（実施の形態３）
図６等を用いて、本発明の実施の形態３を説明する。図６において、実施の形態３である光ディスク再生装置の構成を示している。本実施の形態３は、ＰＲＭＬ方式を用いた光ディスク再生装置において、光学系特性に依存して符号間干渉が変化する場合に、ＰＲＭＬの拘束長（ｋ）及びＰＲ係数を適応的に変更することができる。実施の形態３の装置では、特徴として、フォーカス判定を行う。
【００５４】
ここで、光学系特性により符号間干渉が変化する場合について説明する。光学系による符号間干渉量増大の要因としては、例えばフォーカスずれがある。再生媒体（１０１）の面振れなどが発生し光ピックアップ（１０２）がそれに追従できない場合、記録層上での集光ビーム径が最小となる位置から外れるフォーカスずれが発生する。この時、ビーム径が大きくなることから、より遠いマークの信号まで受光し、符号間干渉が大きくなる。また、光ピックアップ（１０２）の個体差から、常にビーム径が最小とはならない可能性も考えられる。
【００５５】
実施の形態３の光ディスク再生装置（図６）は、実施の形態１の装置（図１）と相違するのは、主に、ＡＦＥ１０４の出力が判定回路１１７にも入力されていることである。判定回路１１７では、その信号（ｓ２５）により判定を行う。
【００５６】
本装置では、通常は、復号誤りの少ないｋ＝４の第１のＰＲＭＬ回路１０６の方を使用するように、スイッチ１１６を切り替え制御する。またＡＦＥ１０４からフォーカスずれの状態を示すフォーカスエラー信号（ｓ２５）が判定回路１１７に入力される。判定回路１１７では、再生時のフォーカスエラー信号（ｓ２５）と、判定回路１１７に予め設定されたフォーカスエラー量の閾値と、を比較する。判定回路１１７は、フォーカスエラー信号（ｓ２５）がその閾値を超え、且つ、その状態が一定期間以上続く場合、あるいはその状態が頻発する場合に、ｋ＝５の第２のＰＲＭＬ処理回路１０７の方を使用するように、信号（ｓ２３）によりスイッチ１１６を切り替え制御する。
【００５７】
以上で説明した、フォーカスエラー量によりＰＲＭＬの拘束長（ｋ）を切り替える方法によれば、符号間干渉の増大が予測されるフォーカスずれ時にはｋ＝５のＰＲＭＬ（１０７）側が選択され、通常は、復号誤りを起し難いｋ＝４のＰＲＭＬ（１０６）側が選択されることから、読み取り精度を上げることができる。また本実施の形態３は、実施の形態２の高周波数成分の振幅で判定する方法よりも、判定位置が前段にあるため、早く判定することが可能である。
【００５８】
（実施の形態４）
図７等を用いて、本発明の実施の形態４を説明する。図７において、実施の形態４である光ディスク再生装置の構成を示している。本実施の形態４は、ＰＲＭＬ方式を用いた光ディスク再生装置において、電子回路素子特性、伝送線路特性などの影響により、再生倍速（再生速度）に依存して高周波数成分の振幅が変化する場合に、ＰＲＭＬの拘束長（ｋ）及びＰＲ係数を適応的に変更することができる。実施の形態４の装置では、特徴として、再生倍速の判定を行う。
【００５９】
ここで、再生倍速に依存して高周波数成分の振幅が変化する場合について説明する。電子回路素子や伝送線路が高周波の信号に対応できていない場合、更に再生倍速が上がることで、高周波数成分が伝送できず、線記録密度が高い時と同様に、再生信号の高周波数成分の振幅が低下する。
【００６０】
実施の形態４の光ディスク再生装置（図７）は、実施の形態１の装置（図１）と相違するのは、主に、再生倍速判定回路７０１である。再生倍速判定回路７０１は、例えばマイコン１２０から、再生媒体（１０１）の種類とその再生倍速の情報を取得する。判定回路１１７では、その再生倍速の情報をもとに判定を行う。
【００６１】
本装置では、通常は、復号誤りの少ないｋ＝４の第１のＰＲＭＬ回路１０６を使用するようにスイッチ１１６を切り替え制御する。また前述のように高速再生時には再生信号の高周波数成分の振幅が低下するため、この時は、ｋ＝５の第２のＰＲＭＬ回路１０７の方を使用するように切り替え制御する。
【００６２】
上記高周波数成分の振幅低下については、再生媒体（１０１）の種類とその再生倍速によって予測することが可能である。以下予めシステム的に予測、決定、設定等を行う。まず再生媒体（１０１）の種類と再生倍速から、再生信号の周波数帯域を算出し、電子回路素子特性、伝送線路特性などから予め判明している光ディスク再生装置全体の周波数特性と比較する。この結果から再生信号の特性がｋ＝５のＰＲ特性に近い、再生媒体の種類と再生倍速の組み合わせを求めることができる。光ディスク再生装置全体の周波数特性は固有のものであり状況によって変化し難いことから、ｋ＝５のＰＲ特性に近くなると予測される再生媒体の種類と再生倍速の組み合わせを求める。この組み合わせ情報を、判定回路１１７内に予め記録しておく。
【００６３】
データ再生時には、再生倍速判定回路７０１により、例えばマイコン１２０を介して再生媒体の種類と再生倍速の情報を取得し、その信号（ｓ２６）を判定回路１１７に入力する。そして、判定回路１１７では、その入力された情報（ｓ２６）と、予め判定回路１１７に記録しておいた再生媒体の種類と再生倍速の組み合わせの情報と、が一致した場合、ｋ＝５の第２のＰＲＭＬ回路１０７の方を使用するように、信号（ｓ２３）によりスイッチ１１６を切り替え制御する。
【００６４】
以上で説明した、再生媒体の種類と再生倍速によりＰＲＭＬの拘束長（ｋ）を切り替える方法によれば、符号間干渉の増大が予測される高密度媒体（１０１）における高速再生時にはｋ＝５のＰＲＭＬ（１０７）側が選択され、通常は復号誤りを起し難いｋ＝４のＰＲＭＬ（１０６）側が選択されることから、読み取り精度を上げることができる。また本実施の形態４は、実施の形態３のフォーカスエラー量で判定する方法よりも、判定位置が前段にあるため、早く判定することが可能である。尚、本実施の形態４において再生媒体の種類と再生倍速の情報を取得・判定する手段として、マイコン１２０を使用する例を挙げたが、これに限らない。例えば、ＡＦＥ１０４等の部位から再生倍速判定回路７０１へ情報を取得して判定すること等も可能である。
【００６５】
（実施の形態５）
図８等を用いて、本発明の実施の形態５を説明する。実施の形態５の装置では、特徴として、同時に処理が可能な２つのデコーダを備え、エラーレート（誤り検出数）の判定を行う。図８において、実施の形態５である光ディスク再生装置の構成を示している。本実施の形態５は、ＰＲＭＬ方式を用いた光ディスク再生装置において、記録媒体の線記録密度、再生倍速、電子回路素子特性、伝送線路特性、光学系特性などにより誤り訂正時の誤り検出数が状況によって変化する場合に、ＰＲＭＬの拘束長（ｋ）及びＰＲ係数を適応的に変更することができる。
【００６６】
ここで、誤り検出数が拘束長（ｋ）によって異なる場合について説明する。まず夫々の拘束長（ｋ）のＰＲＭＬで復号して得られた二値化データの誤り訂正時に、その誤り検出数を取得し、比較する。この時、ｋ＝４のＰＲＭＬの復号結果に誤り検出数が多い例として、入力信号の高周波数成分の振幅が小さい等の、ｋ＝４のＰＲＭＬで等化できない場合が挙げられる。またｋ＝５のＰＲＭＬの復号結果に誤り検出数が多い例としては、入力信号の高周波数成分の振幅が大きい等、ｋ＝４のＰＲＭＬでも等化できる場合が挙げられる。これはｋ＝５のＰＲＭＬは基準レベル数が多いことにより、ｋ＝４のＰＲＭＬよりも復号誤りを起し易いことが原因である。
【００６７】
実施の形態５の光ディスク再生装置（図８）は、実施の形態１の装置（図１）と相違するのは、主に、２つのデコーダ８０１，８０２である。デコーダ（第１のデコーダ）８０１は、第１最尤復号回路１１４の出力（ｓ４１）である二値化データ（ｓ１１）の一連のデコード処理、即ち、復調処理、誤り訂正処理、及びデスクランブル処理を行う。デコーダ（第２のデコーダ）８０２は、第２最尤復号回路１１５の出力（ｓ４２）である二値化データ（ｓ１２）の一連のデコード処理、即ち、復調処理、誤り訂正処理、及びデスクランブル処理を行う。また、スイッチ１１６は、２つのデコーダ８０１，８０２の出力（ｓ１４１，ｓ１４２）を切り替えて、外部（ホスト１１９）へのデータ（ｓ１５）の出力を行う。また、各デコーダ８０１，８０２からは、判定回路１１７へ、誤り検出処理における誤り検出数（ｓ１５１，ｓ１５２）が入力されている。
【００６８】
本装置では、第１のデコーダ８０１で、第１最尤復号回路１１４の復号結果（ｓ１１）に対して誤り訂正を行い、ＥＣＣブロック単位データにおける誤り検出数（ｓ１５１）を取得する（ＥＣＣ：誤り訂正符号）。また、第２のデコーダ８０２で、第２最尤復号回路１１５の復号結果（ｓ１２）に対して誤り訂正を行い、ＥＣＣブロック単位データにおける誤り検出数（ｓ１５２）を取得する。各デコーダの内部の詳細構成は公知技術同様である。
【００６９】
判定回路１１７において、入力された夫々の誤り検出数（ｓ１５１，ｓ１５２）を比較して、誤り検出数が少ない方のＰＲＭＬ回路（１０６，１０７）のデコード処理された出力（ｓ１４１，ｓ１４２）を選択するように、信号（ｓ２３）によりスイッチ１１６を切り替え制御する。
【００７０】
以上で説明した、誤り検出数によりＰＲＭＬの拘束長（ｋ）を切り替える方法によれば、常に誤り検出数が少なくなる方の拘束長（ｋ）のＰＲＭＬが選択されるため、読み取り精度を上げることができる。また本実施の形態５は、最終的な出力データに含まれる誤り検出数で判定するため、確実な判定方法と言える。
【００７１】
尚、本実施の形態５では、誤り訂正時のＥＣＣブロック単位での誤り検出数を用いているが、これに限らず、例えばＥＣＣブロック内の行方向の誤り訂正時の誤り検出数などにより行ってもよい。
【００７２】
（実施の形態６）
図９等を用いて、本発明の実施の形態６を説明する。実施の形態６では、特徴として、共通化して処理する１つのデコーダを備え、エラーレートの判定を行う。図９において、実施の形態６である光ディスク再生装置の構成を示している。本実施の形態６は、実施の形態５と同様に、誤り訂正時の誤り検出数が状況によって変化する場合に、ＰＲＭＬの拘束長（ｋ）及びＰＲ係数を適応的に変更することができる。
【００７３】
実施の形態６の光ディスク再生装置（図９）は、実施の形態１の装置（図１）と相違するのは、主に、デコーダ１１８から判定回路１１７に誤り検出数（ｓ２７）が入力されていることである。
【００７４】
本実施の形態６の光ディスク再生装置における切り替え制御について説明する。制御の一例（第１の構成例）として、通常のデータ再生前に行う初期化処理において、以下のように実行する。本装置では、初めに一定期間、ｋ＝４の第１のＰＲＭＬ回路１０６を使用するようにスイッチ１１６を切り替え制御する。デコーダ１１８からの信号（ｓ２７）により、この一定期間（第１の期間）の誤り検出数（第１の誤り検出数）を、まず判定回路１１７内に記録しておく。また本装置では、それとは別の一定期間（第２の期間）、今度はｋ＝５の第２のＰＲＭＬ回路１０７を使用するようにスイッチ１１６を切り替え制御する。この誤り検出数（第２の誤り検出数）を、同様に判定回路１１７内に入力する。判定回路１１７では、この第２の誤り検出数を、先に記録しておいた第１の誤り検出数と比較し、誤り検出数が少ない方のＰＲＭＬ回路（１０６，１０７）の出力（ｓ１１，ｓ１２）を選択するように、信号（ｓ２３）によりスイッチ１１６を切り替え制御する。また、この誤り検出数は、入力信号によって変動するため、定期的に上記切り替え及び判定を実施する必要がある。また、通常再生中に、定期的に判定を実行してもよい。
【００７５】
また、上記初期化処理時の制御（第１の構成例）以外にも、リトライ時、即ち通常のデータ再生時に誤り訂正不能等によりデータの再処理を行う時に、同様の制御を実施することも可能である（第２の構成例）。この場合、本装置は、初めは復号誤りの少ないｋ＝４の第１のＰＲＭＬ回路１０６を使用するように制御しておき、データ再生中に誤り訂正不能を検出してリトライが必要となった時、ｋ＝５の第２のＰＲＭＬ回路１０７を使用するように制御して、リトライを実行する。このリトライにより当該データが再生できた場合、次のリトライ時までは、ｋ＝５の第２のＰＲＭＬ回路１０７を使用するようにする。また、誤り訂正不能が依然発生する場合には、ｋ＝４の第１のＰＲＭＬ回路１０６の方に戻し、他のパラメータを変更してリトライを実行する。以後のリトライでも同様に他方の拘束長（ｋ）のＰＲＭＬ回路に切り替えてリトライを実行する。
【００７６】
以上で説明した、誤り検出数によりＰＲＭＬの拘束長（ｋ）を切り替える方法によれば、実施の形態５と同様に誤り検出数が少なくなる拘束長（ｋ）のＰＲＭＬが選択されるため、読み取り精度を上げることができる。また本実施の形態６は、実施の形態５のようにデコーダを余分に持つ必要がなく、回路規模及び消費電力を小さくできる。
【００７７】
（実施の形態７）
図１０等を用いて、本発明の実施の形態７を説明する。実施の形態７の装置では、特徴として、基準レベル間隔判定を行う。図１０において、実施の形態７である光ディスク再生装置の構成を示している。本実施の形態７は、ＰＲＭＬ方式を用いた光ディスク再生装置において、記録媒体の線記録密度、再生倍速、電子回路素子特性、伝送線路特性、光学系特性などにより最尤復号に用いる基準レベル（基準値）の間隔が状況によって変化する場合に、ＰＲＭＬの拘束長（ｋ）及びＰＲ係数を適応的に変更することができる。
【００７８】
実施の形態７の光ディスク再生装置（図１０）は、実施の形態１の装置（図１）と相違するのは、主に、第２基準値生成回路１１３の出力（ｓ７２）が第２の基準レベルの信号（ｓ２８２）として判定回路１１７に入力されていることである。また、それに対応して、第１基準値生成回路１１２の出力（ｓ７１）が第２の基準レベルの信号（ｓ２８１）として判定回路１１７に入力されている。
【００７９】
ここで、一般にｋ＝５のＰＲＭＬはｋ＝４のＰＲＭＬに比べて再生信号の高周波数成分の振幅が小さい場合でも復号できるなどの優位点があるが、基準レベル数が多いために復号誤りを起し易い。このように基準レベル数が多いことから、基準レベル同士が接近すると更に誤り易くなると考えられる。
【００８０】
そこで、本装置では、通常は、高周波数成分の振幅が小さい信号も等化することができるｋ＝５の第２のＰＲＭＬ回路１０７を使用するように制御する。但し、第１基準値生成回路１１２、第２基準値生成回路１１３で生成される基準レベル（ｓ７１，ｓ７２）の間隔（基準レベル間隔）を、判定回路１１７で観測する。特に、第２基準値生成回路１１３で生成される各基準レベル（ｓ７２）におけるすべての間隔を観測する。なお基準レベル間隔は、図３のａ１，ａ２のような値である。そして、判定回路１１７では、予め記録された値（閾値）よりも小さい基準レベル間隔が存在する期間では、ｋ＝４の第１のＰＲＭＬ回路１０６の方を選択するように、信号（ｓ２３）によりスイッチ１１６を切り替え制御する。
【００８１】
さらに、本実施の形態７の方法及び構成を、前述した他の実施の形態と組み合わせて使用することで、他の実施の形態での判定を保護することも可能である。これは、例えば、他の判定方法によりｋ＝５の第２のＰＲＭＬ回路１０７が選択されていても、復号誤りが多いと予想される状態ではｋ＝４の第１のＰＲＭＬ回路１０６を使用するように、処理する拘束長（ｋ）を切り替えること（逆側に戻す判定制御）ができるからである。
【００８２】
以上で説明した、最尤復号に使用する基準レベル（間隔）によりＰＲＭＬの拘束長（ｋ）を切り替える方法によれば、復号誤りを起し易いｋ＝５のＰＲＭＬ(１０７)を選択した時にも誤り検出数の増加を回避し、読み取り精度を上げることができる。このことから、本実施の形態７は、独立して使用するだけでなく、他の実施の形態と組み合わせて使用することで、他の実施の形態における判定結果の信頼性を高めることができる。
【００８３】
（実施の形態８）
図１１等を用いて、本発明の実施の形態８を説明する。図１１において、実施の形態８である光ディスク再生装置の構成を示している。本実施の形態８は、前述した実施の形態に対して、２種類の拘束長（ｋ１，ｋ２）のＰＲＭＬ回路（１０６，１０７）に含まれる回路の共有化を実現した例である。
【００８４】
実施の形態８の光ディスク再生装置（図１１）は、実施の形態１の装置（図１）と相違するのは、補間回路１１０１、適応等化回路１１０２、適応学習回路１１０３、基準値生成回路１１０４、最尤復号回路１１０５である。
【００８５】
本実施の形態８において、実施の形態１における第１の拘束長（ｋ１）のＰＲＭＬをｋ＝４のＰＲＭＬとし、第２の拘束長（ｋ２）のＰＲＭＬをｋ＝５のＰＲＭＬとして、ｋ＝４のＰＲＭＬ回路とｋ＝５のＰＲＭＬ回路の回路共有化の構成について説明する。
【００８６】
一般的に、ｋ＝４のＰＲＭＬ回路における最尤復号回路に入力される信号のサンプリング位置と、ｋ＝５のＰＲＭＬ回路における最尤復号回路に入力される信号のサンプリング位置とが異なり、適応等化回路のフィルタのタップ数が奇数と偶数の２種類必要となる。このことから、実施の形態１の第１適応等化回路１０８、第２適応等化回路１０９のように回路が２つ必要となる。
【００８７】
ここで、最尤復号回路に入力する信号のサンプリング位置を変える必要性について説明する。例えば、ＲＬＬ（１，１０）等の変調方式の場合においてｋ＝４のＰＲ（ａ，ｂ，ｂ，ａ）等では一般的に７個の基準レベルを持ち、ｋ＝５のＰＲ（ａ，ｂ，ｃ，ｂ，ａ）等では一般的に１０個の基準レベルを持つ。この基準レベルをもとに等化学習時に目標となる波形を作成すると、ｋ＝４では波形がゼロクロスする時にサンプリングされるビット境界サンプリングとなり、ｋ＝５ではゼロクロスする前後でサンプリングされるビット中央サンプリングとなる。よって、安定した適応学習を行うためには、拘束長（ｋ）によって適応等化回路出力のサンプリング位置を変えることが望ましい。
【００８８】
しかし、拘束長（ｋ）によって適応等化回路に入力されるデータのサンプリング位置を切り替えれば、適応等化回路は１つでもよい。本実施の形態８では、上記サンプリング位置を拘束長で切り替えるために、等化回路（適応等化回路）の前段の補間回路１１０１によりサンプリング位置を変更することにより実現している。例えばＡ／Ｄコンバータ１０５の出力（ｓ３）がビット中央サンプリングの場合、ｋ＝５の時は、補間回路１１０１を使用せず、奇数タップの適応等化回路１１０２で等化する。またｋ＝４の時は、補間回路１１０１の使用によってビット中央サンプリングの信号をビット境界に変換し、その後、奇数タップの適応等化回路１１０２で等化する。このように同じ奇数タップの適応等化回路１１０２を用いることで、ｋ＝４とｋ＝５に対応することができる。なお、補間回路１１０１は、等化回路後段に配置することも、学習方法を変更すれば、可能である。
【００８９】
また、ｋ＝４のＰＲＭＬ回路における適応等化回路のタップ配置と、ｋ＝５のＰＲＭＬ回路における適応等化回路のタップ配置とが異なる場合、夫々のタップ配置に対応するために、実施の形態１の第１適応学習回路１１０、第２適応学習回路１１１のように回路が２つ必要となる。しかし、適応等化回路のタップ配置を拘束長（ｋ）によらず同じにした場合は、適応学習回路は１つでもよい。本実施の形態８では、補間回路１１０１を使用することにより、適応等化回路１１０２を異なる拘束長（ｋ）で共有している。よって、１つの適応学習回路１１０３によりｋ＝４とｋ＝５に対応することができる。
【００９０】
また、ｋ＝４のＰＲＭＬとｋ＝５のＰＲＭＬとで存在する状態数が異なり、これによって基準レベルの数が異なるため、夫々の基準レベル数に対応するために、実施の形態１の第１基準値生成回路１１２、第２基準値生成回路１１３のように回路が２つ必要となる。しかし、これらの基準値生成回路の演算自体は基準レベル数によらず同じであるので、多い基準レベル数に対応した基準値生成回路を、少ない基準レベル数の拘束長（ｋ）の時にも部分的に使用して共有すれば、基準値生成回路は１つでもよい。よって本実施の形態８のように、１つの基準値生成回路１１０４でｋ＝４とｋ＝５に対応することができる。
【００９１】
また、ｋ＝４のＰＲＭＬとｋ＝５のＰＲＭＬとで参照するデータ量が異なり、復号時の最尤復号演算が異なるため、実施の形態１の第１最尤復号回路１１４、第２最尤復号回路１１５のように回路が２つ必要となる。しかし、これら最尤復号時に参照されるデータ量を拘束長（ｋ）によらず同じにした場合は、最尤復号回路は１つでもよい。例えば、本実施の形態８の最尤復号回路１１０５においてｋ＝５のＰＲ（ａ，ｂ，ｃ，ｄ，ｅ）に対応した復号回路をｋ＝４の復号回路と共有化するために、ＰＲ（０，ａ，ｂ，ｃ，ｄ）若しくはＰＲ（ａ，ｂ，ｃ，ｄ，０）として最尤復号演算する。これにより、参照するデータ量を同じにすることができる。これによって１つの最尤復号回路１１０５で複数の拘束長（ｋ）に対応することが可能となる。
【００９２】
本実施の形態８において、ｋ＝４とｋ＝５のＰＲＭＬ回路を例に説明してきたが、ｋ＝５とｋ＝３のＰＲＭＬ回路の場合はＰＲ（０，ａ，ｂ，ｃ，０）とすることで共有が可能であり、同様に他の拘束長（ｋ）に対しても適応可能である。
【００９３】
ここで、本実施の形態８の光ディスク再生装置における切り替え制御について説明する。上記回路共有化を行っても、拘束長（ｋ）が異なるＰＲＭＬを使用する場合、ｋ＝４の時は最尤復号回路１１０５においてＰＲ（０，ａ，ｂ，ｃ，ｄ）とする、ｋ＝５の時は補間回路１１０１を使用しない、等の切り替えが必要となる。よって、本光ディスク再生装置では、判定回路１１７は、通常は、復号誤りの少ないｋ＝４のＰＲＭＬを使用するように、信号（ｓ２９１，ｓ２９２）により、補間回路１１０１及び最尤復号回路１１０５を制御する。また、適応学習回路１１０３で演算されている等化誤差値（ｓ２９０）を判定回路１１７に入力し、判定回路１１７において、予め記録されている値（閾値）を超える期間に、ｋ＝５のＰＲＭＬを使用するように、補間回路１１０１及び最尤復号回路１１０５を制御する。尚、本実施の形態８では、切り替え制御については、実施の形態１の等化誤差で判断する方法に従っているが、これに限らず、他の実施の形態の方法を用いてもよい。
【００９４】
以上のように本実施の形態８において、実施の形態１におけるｋ＝４とｋ＝５のＰＲＭＬ回路（１０６，１０７）に含まれる回路を共有化することが可能となる。これにより回路規模の削減ができる。尚、本実施の形態８の説明では、実施の形態１との比較を行ったが、他の実施の形態に対しても同様に適用可能である。
【００９５】
＜組み合わせ＞
図１２において、他の実施の形態として、前述した各実施の形態の構成及び方法を組み合わせた光ディスク再生装置の構成例を示している。本構成例は、実施の形態１〜４及び６，７を組み合わせたものである。尚、実施の形態６に対応した場合を示しているが、実施の形態５に対応する場合でも同様である。本実施の形態では、記録媒体の線記録密度、再生倍速、電子回路素子特性、伝送線路特性、光学系特性などにより最尤復号に用いる基準レベル間隔が状況によって変化する場合に、ＰＲＭＬの拘束長（ｋ）及びＰＲ係数を適応的に変更することができる。本構成例のように、複数の判定方法を組み合わせて使用することで、様々な状況に対応して、読み取り精度を上げることができる。
【００９６】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００９７】
本発明は、ＣＤ、ＤＶＤ、ブルーレイディスク等の各種記録媒体の再生装置や記録再生装置に利用可能である。
【図面の簡単な説明】
【００９８】
【図１】本発明の実施の形態１における光ディスク再生装置の構成を示すブロック図である。
【図２】本発明の各実施の形態に係わる、光ディスクの再生信号特性とパーシャルレスポンス特性の関係を示す図である。
【図３】（ａ），（ｂ）は、本発明の各実施の形態の光ディスク再生装置において、パーシャルレスポンスの拘束長と存在する状態数の関係及び基準レベルの例を示す図である。
【図４】（ａ），（ｂ）は、本発明の各実施の形態の光ディスク再生装置において、パーシャルレスポンスにおける等化目標と等化出力及びそれらから求められる等化誤差の例を示す図である。
【図５】本発明の実施の形態２における光ディスク再生装置の構成を示すブロック図である。
【図６】本発明の実施の形態３における光ディスク再生装置の構成を示すブロック図である。
【図７】本発明の実施の形態４における光ディスク再生装置の構成を示すブロック図である。
【図８】本発明の実施の形態５における光ディスク再生装置の構成を示すブロック図である。
【図９】本発明の実施の形態６における光ディスク再生装置の構成を示すブロック図である。
【図１０】本発明の実施の形態７における光ディスク再生装置の構成を示すブロック図である。
【図１１】本発明の実施の形態８における光ディスク再生装置の構成を示すブロック図である。
【図１２】本発明の他の実施の形態における光ディスク再生装置の構成を示すブロック図である。
【符号の説明】
【００９９】
１０１…光ディスク、１０２…ピックアップ、１０３…スピンドルモータ、１０４…ＡＦＥ（アナログ・フロント・エンド）、１０５…Ａ／Ｄコンバータ、１０６…第１拘束長ＰＲＭＬ処理回路、１０７…第２拘束長ＰＲＭＬ処理回路、１０８…第１適応等化回路、１０９…第２適応等化回路、１１０…第１適応学習回路、１１１・・・第２適応学習回路、１１２…第１基準値生成回路、１１３…第２基準値生成回路、１１４…第１最尤復号回路、１１５…第２最尤復号回路、１１６…スイッチ、１１７…判定回路、１１８…デコーダ、１１９…ホスト、１２０…マイコン、５０１…周波数特性測定回路、７０１…再生倍速判定回路、８０１，８０２…デコーダ、１１０１…補間回路、１１０２…適応等化回路、１１０３…適応学習回路、１１０４…基準値生成回路、１１０５…最尤復号回路。
【図１】
2008204522.tif 000003
【図２】
2008204522.tif 000004
【図３】
2008204522.tif 000005
【図４】
2008204522.tif 000006
【図５】
2008204522.tif 000007
【図６】
2008204522.tif 000008
【図７】
2008204522.tif 000009
【図８】
2008204522.tif 000010
【図９】
2008204522.tif 000011
【図１０】
2008204522.tif 000012
【図１１】
2008204522.tif 000013
【図１２】
2008204522.tif 000014